(57)【特許請求の範囲】
【請求項１】
磁気記録媒体に信号を記録あるいは該記録媒体から信号を再生する磁気ヘッドの姿勢および高さ調整を行なうための磁気ヘッド調整機構において、
磁気ヘッドを固定する台座と、
前記台座を調整可能に支持するベース板金と、
前記台座を前記ベース板金に付勢する第１の付勢手段と、
前記台座に螺合かつ前記ベース板金に先端が当接、あるいは、前記台座を貫通かつ前記ベース板金に螺合し、前記台座に固定された磁気ヘッドの姿勢を調整する複数の調整ねじと、
前記台座と前記ベース板金間に配置され、一端を前記ベース板金に固定し、他端を前記台座に付勢力を与えるべく当接した高さ調整板金と、
前記高さ調整板金の前記他端の先端部に螺合あるいは貫通し、その先端を前記ベース板金に当接あるいは螺合した高さ調整ねじを備えたことを特徴とする磁気ヘッド調整機構。
【請求項２】
前記台座の前記磁気ヘッド前面に近接する部位に凹部を形成するとともに、前記高さ調整板金の前記台座と当接する部位に凸部を形成し、該凹部と凸部を係合させたことを特徴とする請求項１記載の磁気ヘッド調整機構。
【請求項３】
前記ベース板金に当接し、前記磁気ヘッドの調整前の基準高さを規定する支持部と、前記支持部と対向して設けられ前記ベース板金の回動軸をなすとともに該ベース板金を固定する固定ねじと、前記ベース板金の回動位置を規制するテーパー面を有するナットと、前記ベース板金を前記ナットのテーパー面に付勢する第２の付勢手段を備えたことを特徴とする請求項１記載の磁気ヘッド調整機構。
【請求項４】
前記高さ調整板金を前記ベース板金の一部から構成したことを特徴とする請求項１記載の磁気ヘッド調整機構。
【請求項５】
前記第１の付勢手段は前記複数の調整ねじの軸部周囲に配された圧縮ばねであることを特徴とする請求項１記載の磁気ヘッド調整機構。
【請求項６】
前記第１の付勢手段は前記複数の調整ねじの軸部に螺合した弾性を有する板金であることを特徴とする請求項１記載の磁気ヘッド調整機構。
【請求項７】
前記板金は前記ベース板金の一部から構成したことを特徴とする請求項６記載の磁気ヘッド調整機構。
【請求項８】
磁気記録媒体に信号を記録あるいは該記録媒体から信号を再生する磁気ヘッドの姿勢および高さ調整を行なうための磁気ヘッド調整機構において、
磁気ヘッドを固定する台座と、
コの字形状の折り曲げ部を複数有し、前記台座を調整可能に支持するベース板金と、
前記各折り曲げ部に対応して設けられ、前記台座に固定された磁気ヘッドの姿勢あるいは高さ位置を調整するそれぞれの調整ねじと、
を備え、
前記各調整ねじが前記台座および対応するそれぞれの前記折り曲げ部を貫通するとともに前記ベース板金に螺合し、前記各折り曲げ部が当接して前記台座に付勢力を与えることを特徴とする磁気ヘッド調整機構。
【発明の詳細な説明】
【０００１】
【発明の属する技術分野】
この発明は、ビデオテープレコーダー等の磁気記録再生装置の磁気ヘッドの調整機構に関するものである。
【０００２】
【従来の技術】
図１１〜図１３は、例えば、実公平６ー４４１０号公報に記載された従来の磁気記録再生装置の磁気ヘッド調整機構を示す図であり、図１１は側面図、図１２は正面図、図１３は平面図を表す。
【０００３】
図１１〜１３において、１は磁気ヘッド、２は磁気ヘッド１を固定する台座、３は磁気ヘッド１および台座２を調整可能に保持するベース板金、４は台座２にＺ方向に付勢力を与えるばね、５はばね４の一端を保持し台座２を貫通してベース板金３に螺合したねじ、６は台座２に螺合しベース板金３に当接することで磁気ヘッド１をＡ１−Ａ２方向に調整するあおり調整ねじ、７は台座２を貫通してベース板金３に螺合することで磁気ヘッド１のＢ１−Ｂ２方向の調整を行うアジマス調整ねじ、８はベース板金３をＨ１方向およびＸ２方向に付勢力を与える圧縮ねじりばね、９はデッキベース１４に垂直に立設されたねじ付きシャフト、１０はねじ付きシャフト９に嵌合された円筒ガイド、１１は圧縮ねじりばね８の付勢力に抗する付勢力をベース板金３に与えることで磁気ヘッド１のＨ１ーＨ２方向の調整を行う高さ調整ナット、１２はデッキベース１４に垂直に立設されたねじ付きシャフト、１３はねじ付きシャフト１２に螺合され一部をベース板金に当接されたテーパー状のナット、１５はデッキベース１４に設けられた圧縮ねじりばね８の係止部である。
【０００４】
このように構成された従来の磁気ヘッド調整機構によれば、あおり調整ねじ６を進退させることで台座２とあおり調整ねじ６との螺合により台座２を傾斜させて磁気ヘッド１のあおり方向Ａ１−Ａ２の調整を行ない、アジマス調整ねじ７を進退させることでねじ５に設けられたばね４の付勢力との合力により台座２を傾斜させて磁気ヘッド１のアジマス方向Ｂ１−Ｂ２の調整を行なう。また、磁気ヘッド１の高さ方向Ｈ１−Ｈ２の調整はナット１１により、Ｘ位置Ｘ１−Ｘ２はテ−パ−ナット１３を、締め込んだりあるいは緩めたりすることで調整する。
【０００５】
【発明が解決しようとする課題】
従来の磁気ヘッド調整機構は、以上のように構成されており、あおり方向Ａ１−Ａ２およびアジマス方向Ｂ１−Ｂ２の調整は台座２の傾動により、高さ方向Ｈ１−Ｈ２およびＸ位置Ｘ１−Ｘ２の調整はベース板金３の移動により行なっていた。このため、かかる従来例によればＸ位置Ｘ１−Ｘ２と高さ方向の調整に相互依存性が生じ、調整を１度に行なうことが困難であった。
この問題を解消するため、実公平６ー４４１０号公報においては、Ｘ位置調整用のテーパーナット１３とベース板金３の間にレバー部材を介在させるようにして相互依存性を解消するようにしていた。
しかし、かかる構成によれば、必然的に部品点数が増加するためヘッド調整機構が高価なものとなってしまうという問題点がある。
【０００６】
また、従来の磁気ヘッド調整機構においては、何らかの要因で磁気ヘッド１や台座２に外力が加わると、ねじ付きシャフト９と円筒ガイド１０間のガタにより、磁気ヘッド１の姿勢が変わりやすく、テープ走行に悪影響をおよぼすという問題点があった。
このため、ねじ付きシャフト９と円筒ガイド１０間のガタを小さくすべく軸穴を精度良くしたりあるいは嵌合長を長くする必要が生じ、これもコストのかかる要因となっていた。
【０００７】
また、ねじ付きシャフト９とナット１１による高さ調整では、他のあおり調整ねじ６、アジマス調整ねじ７等とはことなる治具、具体的にはナット専用のドライバーを用意する必要があるため、工具の統一化の妨げあるいは調整時間のかかる要因ともなっていた。
【０００８】
この発明は、上述のような問題点を解消するためになされたもので、簡易かつ低コストな構成で磁気ヘッドの姿勢（あおり、アジマス）、高さ、Ｘ位置調整が行なえる磁気ヘッド調整機構を得ることを目的とする。また、調整工具の統一化を図り、調整作業の改善を図った磁気ヘッド調整機構を得ることを目的とする。
【０００９】
【課題を解決するための手段】
この発明の請求項１に係る磁気ヘッド調整機構は、磁気記録媒体に信号を記録あるいは該記録媒体から信号を再生する磁気ヘッドの姿勢および高さ調整を行なうものにおいて、磁気ヘッドを固定する台座と、前記台座を調整可能に支持するベース板金と、前記台座を前記ベース板金に付勢する第１の付勢手段と、前記台座に螺合かつ前記ベース板金に先端が当接、あるいは、前記台座を貫通かつ前記ベース板金に螺合し、前記台座に固定された磁気ヘッドの姿勢を調整する複数の調整ねじと、前記台座と前記ベース板金間に配置され、一端を前記ベース板金に固定し、他端を前記台座に付勢力を与えるべく当接した高さ調整板金と、前記高さ調整板金の前記他端の先端部に螺合あるいは貫通し、その先端を前記ベース板金に当接あるいは螺合した高さ調整ねじを備えたことを特徴とする。
【００１０】
また、この発明の請求項２に係る磁気ヘッド調整機構は、請求項１に記載された発明における台座の磁気ヘッド前面に近接する部位に凹部を形成するとともに、高さ調整板金の台座と当接する部位に凸部を形成し、該凹部と凸部を係合させたことを特徴とする。
【００１１】
また、この発明の請求項３に係る磁気ヘッド調整機構は、請求項１に記載された発明において、ベース板金に当接し、磁気ヘッドの調整前の基準高さを規定する支持部と、前記支持部と対向して設けられ前記ベース板金の回動軸をなすとともに該ベース板金を固定する固定ねじと、前記ベース板金の回動位置を規制するテーパー面を有するナットと、前記ベース板金を前記ナットのテーパー面に付勢する第２の付勢手段を備えたことを特徴とする。
【００１２】
また、この発明の請求項４に係る磁気ヘッド調整機構は、請求項１に記載された発明における高さ調整板金をベース板金の一部から構成したことを特徴とする。
【００１３】
また、この発明の請求項５に係る磁気ヘッド調整機構は、請求項１に記載された発明における第１の付勢手段を複数の調整ねじの軸部周囲に配された圧縮ばねとしたことを特徴とする。
【００１４】
また、この発明の請求項６に係る磁気ヘッド調整機構は、請求項１に記載された発明における第１の付勢手段を複数の調整ねじの軸部に螺合した弾性を有する板金としたことを特徴とする。
【００１５】
また、この発明の請求項７に係る磁気ヘッド調整機構は、請求項６に記載された発明における板金をベース板金の一部から構成したことを特徴とする。
【００１６】
また、この発明の請求項８に係る磁気ヘッド調整機構は、磁気記録媒体に信号を記録あるいは該記録媒体から信号を再生する磁気ヘッドの姿勢および高さ調整を行なうものにおいて、磁気ヘッドを固定する台座と、コの字形状の折り曲げ部を複数有し、前記台座を調整可能に支持するベース板金と、前記各折り曲げ部に対応して設けられ、前記台座に固定された磁気ヘッドの姿勢あるいは高さ位置を調整するそれぞれの調整ねじとを備え、前記各調整ねじが前記台座および対応するそれぞれの前記折り曲げ部を貫通するとともに前記ベース板金に螺合し、前記各折り曲げ部が当接して前記台座に付勢力を与えることを特徴とする。
【００１７】
【発明の実施の形態】
以下、本発明をその実施の形態を示す図面に基づいて具体的に説明する。
実施の形態１．
図１はこの発明の実施の形態１である磁気ヘッド調整機構の斜視図、図２はその側面図、図３は同正面図、図４は同平面図である。なお、前記従来と同一もしくは相当部分には同一符号を示してその説明は省略する。
【００１８】
図１〜図４において、２Ａは台座２の磁気ヘッド１前面に近接した位置に形成された凹部、１６はデッキベース１４上に配設されたベース板金３を支持し、調整前の磁気ヘッド１の高さ基準位置を規定する支持部、２３は凸部２３Ａを凹部２Ａに当接するように配置された高さ調整板金、２１は先端をベース板金３に当接し高さ調整板金２３に螺合された高さ調整ねじ、２２は高さ調整板金２３をベース板金３へ固定する固定ねじ、２４は磁気ヘッド１のＸ位置を調整後、磁気ヘッド調整機構のベース板金３をデッキベース１４上に固定する固定ねじ、２５はデッキベース１４に配設・固定されたベース板金取り付けボスである。
【００１９】
本発明の磁気ヘッド調整機構は以下のように調整を行なう。まず始めに、磁気ヘッド１をＨ１−Ｈ２の高さ方向へ調整を行う。調整前、ばね４により台座２はＨ２方向へ付勢されており、また、アジマス調整ねじ７のベース板金への螺合および高さ調整板金２３の弾性により台座２はベース板金３に対して固定されている。台座２および磁気ヘッド１の高さは、高さ調整ねじ２１の先端がベース板金３へ当接し、該高さ調整ねじ２１に螺合した高さ調整板金２３の凸部２３Ａが台座２の凹部２Ａに係合することにより決定されている。ここで、高さ調整ねじ２１を締め付けると、高さ調整板金２３の先端は高さ調整ねじ２１に沿ってＨ１方向へ移動し、高さ調整板金２３の剛性により凸部２３Ａと台座凹部２Ａは一体にＨ１方向に移動し、磁気ヘッド１はＨ１方向へ調整される。
【００２０】
逆に、高さ調整ねじ２１を緩めると、高さ調整板金２３の先端は高さ調整ねじ２１に沿ってＨ２方向へ移動し、ばね４の付勢力により、台座凹部２Ａと板金凸部２３Ａは一体にＨ２方向へ移動し、磁気ヘッド１はＨ２方向へ調整される。
【００２１】
続いて、磁気ヘッド１をあおり方向Ａ１−Ａ２、アジマス方向Ｂ１−Ｂ２に調整を行う。あおり方向Ａ１−Ａ２およびアジマス方向Ｂ１−Ｂ２は相互に直交する方向であり、調整に対する相互依存性はないため、いずれを先に調整してもよいが、ここではあおり方向を先に調整する場合について説明する。ばね４によりＨ２方向へ付勢力を与えられた台座２は、台座２に取り付けられたねじ６の先端がベース板金３へ当接することにより姿勢が決定されている。ここで、ねじ６を締め付けると、台座２の凹部２Ａを支点として、台座２の後部は、上方向へ移動しＡ１方向への調整がなされる。この際、台座２が傾くことになり、磁気ヘッド１は高さ方向Ｈ２にも移動するため、高さ方向の再調整が必要になるとも考えられるが、本発明では動作支点をなす調整凹部２Ａを磁気ヘッド１の前面に近接した位置に形成しているので、磁気ヘッド１の高さ方向位置の変動は最小限に抑制され、高さ方向の再調整はほぼ不要である。逆に、ねじ７を緩めると、台座２の凹部２Ａを支点として、台座２の後部は、下方向へ移動しＡ２方向への調整がなされる。
【００２２】
次に、磁気ヘッド１をアジマス方向Ｂ１−Ｂ２へ調整する。ばね４によりＨ２方向への付勢力を与えられた台座２は、台座凹部２Ａとあおり調整ねじ６を結んだ線を軸として、台座２とアジマス調整ねじ７の頭部下面との当接面でＢ１−Ｂ２方向の姿勢が決定されている。ここでアジマス調整ねじ７を締め付けると、アジマス調整ねじ７の頭部下面と当接する台座２の部分はＨ２方向へ移動し、その結果、磁気ヘッド１は前記軸を回動軸としてＢ１方向への調整がなされる。
逆に、アジマス調整ねじ７を緩めると、アジマス調整ねじ７の頭部下面と当接する台座２の部分はＨ１方向へ移動し、その結果、磁気ヘッド１は前記軸を回動軸としてＢ２方向への調整がなされる。
【００２３】
最後に、磁気ヘッド１のＸ位値Ｘ１−Ｘ２を調整する。圧縮ねじりばね８によりＸ２方向へ付勢されたベース板金３は、端面がテーパーナット１３に当接し、Ｘ位置が決定されている。ここで、テーパーナット１３を締め付けると、ベース板金３が当接するテーパーの径の増加により、ねじ付きシャフト１２を軸として当接面はばね８の付勢力に抗してＸ１方向へ移動し磁気ヘッド調整機構はＸ１方向へ調整される。逆に、テーパーナット１３を緩めると、ベース板金３が当接するテーパーの径の減少により当接面は、圧縮ねじりばね８のねじり力により、Ｘ２方向へ移動し、磁気ヘッド調整機構はＸ２方向へ調整がなされる。
【００２４】
このように構成された磁気ヘッド調整機構においては、磁気ヘッド１のＸ位置調整後、ねじ２４を締め付けることで磁気ヘッド調整機構を固定する。したがって固定後に何らかの要因で磁気ヘッド１や台座２に外力が加わった場合にも、磁気ヘッド１の姿勢が変わりやすいという従来の問題点は解消される。また、従来に比べ構造も簡素化されコスト低減を図れ、またねじ２４は他の調整ねじ６、７２１と同一の工具で調整を行なうことができる。なお、本実施の形態では、Ｘ位置Ｘ１−Ｘ２調整を最後に行なっているが、本発明ではアジマス、あおり、高さの調整を台座２の位置調整で行ない、Ｘ位置調整のみをベース板金３の調整で行なうものであるため、最初にＸ位置調整を行ない、固定ねじ２４により磁気ヘッド調整機構をデッキベース１４に固定した後、高さ、あおり、アジマス調整を台座２に対して行ってもよく、また、従来のように高さ調整とＸ位置調整に相互依存性もない。
【００２５】
実施の形態２．
図５はこの発明の実施の形態２である磁気ヘッド調整機構の斜視図である。
【００２６】
上述した実施の形態１においてはベース板金３とは別部材である高さ調整板金２３を固定ねじ２２で固定した構成を採っているため、コスト面での低減効果は不十分である。そこで、本実施の形態では、高さ調整板金３Ａをベース板金３を折り曲げることにより得ており、別部材を必要とすることなく実施の形態１で説明した高さ調整板金２３と同様の機能を達成できる。
【００２７】
磁気ヘッド１の調整については、実施の形態１と同様に、Ｈ１−Ｈ２方向の高さ調整を高さ調整ねじ２１、Ａ１−Ａ２方向のあおり調整はあおり調整ねじ６、Ｂ１−Ｂ２方向のアジマス調整はアジマス調整ねじ７、Ｘ１−Ｘ２方向のＸ位値調整はテーパーナット１３により行い、調整順序についても実施の形態１と同様であるため詳細な説明は省略する。
【００２８】
このように構成された磁気ヘッド調整機構においても、実施の形態１と同様、何らかの外力によって、磁気ヘッド１の姿勢が変わりやすいという問題点は解消される。また、構造的には実施の形態１に比しさらに簡素化されるため、さらなるコスト低減を図ることができる。
【００２９】
実施の形態３．
図６はこの発明の実施の形態３である磁気ヘッド調整機構の斜視図、図７はその側面図である。なお、図７において、高さ調整板金３Ａは一部省略して示している。
【００３０】
図において、２６はあおり調整ねじ６を貫通して台座２とベース板金３間に狭持された圧縮ばね、２７はアジマス調整ねじ７を貫通して台座２とベース板金３間に狭持された圧縮ばねであり、ばね２６、２７により台座２はＨ１方向に付勢力を与えられている。なお、本実施の形態ではあおり調整ねじ６は台座２を貫通しベース板金３に螺合している点で上述の実施の形態１あるいは２と相違するが、台座２に付勢力を与えるばね４およびねじ５を省略する代わりの付勢力を台座２に与えるためである。
【００３１】
磁気ヘッド１の調整については、実施の形態１あるいは２と同様に、Ｈ１−Ｈ２方向の高さ調整を高さ調整ねじ２１、Ａ１−Ａ２方向のあおり調整をあおり調整ねじ６、Ｂ１−Ｂ２方向のアジマス調整をアジマス調整ねじ７、Ｘ１−Ｘ２方向のＸ位値調整をテーパーナット１３により行う。
【００３２】
このように構成された磁気ヘッド調整機構においても、実施の形態１および２と同様に、何らかの外力によって、磁気ヘッド１の姿勢が変わりやすいという問題点は解消される。また、構造も従来あるいは上述の実施の形態１、２に比べ、台座２に付勢力を与えるばね４およびねじ５を不要にできるため簡素化され、コスト低減を図ることができる。
【００３３】
実施の形態４．
図８はこの発明の実施の形態４である磁気ヘッド調整機構の斜視図である。図において、６Ａはあおり調整ねじ６に螺合したあおり調整板金、７Ａはアジマス調整ねじ７に螺合したアジマス調整板金であり、これらにより台座２はＨ１方向に付勢力を与えられている。なお、本実施の形態ではあおり調整ねじ６およびアジマス調整ねじ７は台座２及び板金６Ａ，７Ａをそれぞれ貫通しベース板金３に螺合している。
【００３４】
磁気ヘッド１の調整については、実施の形態１乃至３と同様に、Ｈ１−Ｈ２方向の高さ調整を高さ調整ねじ２１、Ａ１−Ａ２方向のあおり調整をあおり調整ねじ６、Ｂ１−Ｂ２方向のアジマス調整をアジマス調整ねじ７、Ｘ１−Ｘ２方向のＸ位値調整をテーパーナット１３により行う。
【００３５】
このように構成された磁気ヘッド調整機構においても、実施の形態１乃至３と同様、何らかの外力によって、磁気ヘッド１の姿勢が変わりやすいという問題点は解消される。また、構造も上述の実施の形態３に比べ、台座２に付勢力を与える圧縮ばね２６、２７が不要になるため部品点数が削減され、コスト低減を図ることができる。
なお、上述の実施の形態１乃至４によれば、高さ調整ねじ２１は高さ調整板金２３，３Ａに螺合し、先端をベース板金３に当接するように構成されているが、高さ調整板金２３，３Ａを貫通し、ベース板金３に螺合するように構成してもよく、高さ調整板金２３，３Ａの弾性を規制し、磁気ヘッド１の高さを調整できるものであればその他の構成であってもよい。
【００３６】
実施の形態５．
図９はこの発明の実施の形態５である磁気ヘッド調整機構の斜視図、図１０はその側面図である。図において、３Ｂ、３Ｃ、３Ｄはベース板金３の折り曲げ部であり適当な弾性を持つ。
【００３７】
高さ調整ねじ２１、あおり調整ねじ６、アジマス調整ねじ７は台座２およびベース板金折り曲げ部３Ｂ、３Ｃ、３Ｄを貫通して、ベース板金３へ螺合されている。このときに、ベース板金３の折り曲げ部３Ｂ、３Ｃ、３Ｄは台座２のＨ１方向にバランス良く付勢力を与えるように初期の折り曲げ形状が決定されている。
【００３８】
磁気ヘッド１の調整については、他の実施の形態と同様に、Ｈ１−Ｈ２方向の高さ調整は高さ調整ねじ２１、Ａ１−Ａ２方向のあおり調整はあおり調整ねじ６、Ｂ１−Ｂ２方向のアジマス調整はアジマス調整ねじ７、Ｘ１−Ｘ２方向のＸ位置調整はテーパーナット１３により行う。
【００３９】
このように構成された磁気ヘッド調整機構においても、他の実施の形態と同様に、何らかの外力によって、磁気ヘッド１の姿勢が変わりやすいという問題点は解消される。また、構造も他の実施の形態に比べさらに簡素化されるため大幅なコスト低減をはかることができる。
【００４０】
【発明の効果】
この発明は、以上説明したように構成されているので以下に示す様な効果を奏する。
【００４１】
すなわち、本発明の請求項１に記載された磁気ヘッド調整機構は、磁気ヘッドを固定する台座と、前記台座を調整可能に支持するベース板金と、前記台座を前記ベース板金に付勢する第１の付勢手段と、前記台座に螺合かつ前記ベース板金に先端が当接、あるいは、前記台座を貫通かつ前記ベース板金に螺合し、前記台座に固定された磁気ヘッドの姿勢を調整する複数の調整ねじと、前記台座と前記ベース板金間に配置され、一端を前記ベース板金に固定し、他端を前記台座に付勢力を与えるべく当接した高さ調整板金と、前記高さ調整板金の前記他端の先端部に螺合あるいは貫通し、その先端を前記ベース板金に当接あるいは螺合した高さ調整ねじを備えて構成されているので、簡易かつ低コストな構成で磁気ヘッドの姿勢（アジマス、あおり）、高さの調整を行うことができる。
また、従来例にて説明した磁気ヘッド調整機構とは異なり、磁気ヘッドの高さ位置調整とＸ位置調整との間に相互依存性が生じないので調整を１度で完了させることができるという効果がある。
【００４２】
また、本発明の請求項２に記載された磁気ヘッド調整機構によれば、台座の凹部と高さ調整板金の凸部を支点として磁気ヘッドの姿勢が調整されるとともに、かかる支点が磁気ヘッドの前面近傍にあるために、磁気ヘッドの姿勢調整における高さ変化は最小限にとどめられ、再調整を不要にできる効果がある。
【００４３】
また、本発明の請求項３に記載された磁気ヘッド調整機構によれば、ベース板金に当接し、磁気ヘッドの調整前の基準高さを規定する支持部と、前記支持部と対向して設けられ前記ベース板金の回動軸をなすとともに該ベース板金を固定する固定ねじと、前記ベース板金の回動位置を規制するテーパー面を有するナットと、前記ベース板金を前記ナットのテーパー面に付勢する第２の付勢手段を備えているので、Ｘ位置調整後ベース板金をねじで固定することにより、従来のようなねじ付きシャフト、円筒ガイド間で生じていたガタは生じない。したがって、何らかの外力が加わっても磁気ヘッドの姿勢は変化することがなく、テープ走行の精度、信頼性を向上できる。
また、従来のような精度のよいねじ付きシャフト、円筒ガイドを必要としないため、コストの低減を図ることができる。
さらに、磁気ヘッドの姿勢、高さ、Ｘ位置調整を統一した工具で行えるので、調整作業の容易化、短時間化が図れる。
【００４４】
また、本発明の請求項４に記載された磁気ヘッド調整機構によれば、高さ調整板金を前記ベース板金の一部から構成しているので、部品点数を削減でき、さらなる低コスト化が図れる。
【００４５】
また、本発明の請求項５および６に記載された磁気ヘッド調整機構によれば、第１の付勢手段を複数の調整ねじの軸部周囲に配された圧縮ばね、あるいは、複数の調整ねじの軸部に螺合した弾性を有する板金で構成したので、さらなる構成の簡素化、低コスト化が図れる。
さらに、本発明の請求項７に記載された磁気ヘッド調整機構によれば、板金をベース板金の一部から構成したので、一層の低コスト化が実現される。
【００４６】
また、本発明の請求項８に記載された磁気ヘッド調整機構によれば、磁気ヘッドを固定する台座と、コの字形状の折り曲げ部を複数有し、前記台座を調整可能に支持するベース板金と、前記各折り曲げ部に対応して設けられ、前記台座に固定された磁気ヘッドの姿勢あるいは高さ位置を調整するそれぞれの調整ねじとを備え、前記各調整ねじが前記台座および対応するそれぞれの前記折り曲げ部を貫通するとともに前記ベース板金に螺合し、前記各折り曲げ部が当接して前記台座に付勢力を与えるように構成されているので、何らかの外力によって、磁気ヘッドの姿勢が変わりやすいという問題点は解消され、簡易かつ低コストな構成で磁気ヘッドの姿勢（アジマス、あおり）、高さの調整を行うことができる。また、本発明においても、従来例にて説明した磁気ヘッド調整機構とは異なり、磁気ヘッドの高さ位置調整とＸ位置調整との間に相互依存性が生じないので調整を１度で完了させることができるという効果がある。
【図面の簡単な説明】
【図１】  この発明の実施の形態１である磁気ヘッド調整機構の斜視図である。
【図２】  図１の磁気ヘッド調整機構の側面図である。
【図３】  図１の磁気ヘッド調整機構の正面図である。
【図４】  図１の磁気ヘッド調整機構の平面図である。
【図５】  この発明の実施の形態２である磁気ヘッド調整機構の斜視図である。
【図６】  この発明の実施の形態３である磁気ヘッド調整機構の斜視図である。
【図７】  図６の磁気ヘッド調整機構の側面図である。
【図８】  この発明の実施の形態４である磁気ヘッド調整機構の斜視図である。
【図９】  この発明の実施の形態５である磁気ヘッド調整機構の斜視図である。
【図１０】  図９の磁気ヘッド調整機構の側面図である。
【図１１】  従来の磁気ヘッド調整機構の側面図である。
【図１２】  従来の磁気ヘッド調整機構の正面図である。
【図１３】  従来の磁気ヘッド調整機構の平面図である。
【符号の説明】
１  磁気ヘッド、２  台座、３  ベース板金、４  ばね、５  ねじ、６  あおり調整ねじ、７  アジマス調整ねじ、８  圧縮ねじりばね、１２  ねじ付きシャフト、１３  テーパーナット、１４  デッキベース、１５  圧縮ねじりばね係止部、１６  磁気ヘッド調整機構支持部、２１  高さ調整ねじ、２２  高さ調整板金固定ねじ、２３  高さ調整板金、２４  ベース板金固定ねじ、２５  ベース板金取り付けボス。
【図１】
0003843491.tif 000002
【図２】
0003843491.tif 000003
【図３】
0003843491.tif 000004
【図４】
0003843491.tif 000005
【図５】
0003843491.tif 000006
【図６】
0003843491.tif 000007
【図７】
0003843491.tif 000008
【図８】
0003843491.tif 000009
【図９】
0003843491.tif 000010
【図１０】
0003843491.tif 000011
【図１１】
0003843491.tif 000012
【図１２】
0003843491.tif 000013
【図１３】
0003843491.tif 000014